(57)【要約】【課題】温度計測ポイントを携帯装置に内蔵されている温度センサとし、その計測データを携帯装置から空調設備管理装置に送信することにより、実際に居室内にいる人の周囲の温度状況に合わせた空調設備器の運転状態制御を行う。【解決手段】所定エリアにおける温度を設定する空調設備設定手段と、前記所定エリアに設置され、この所定エリア内の温度を調整する空調設備器と、周囲の温度を測定する温度センサを搭載し、この温度センサにより測定された温度計測データを送信する携帯装置と、前記携帯装置により送信された温度計測データを受信し、この温度計測データが前記空調設備設定手段により設定された温度設定データと一致するように前記空調設備器を運転制御する空調設備管理手段とを備えた。【選択図】　　　　図１
2004020132.tif 000002
【特許請求の範囲】
【請求項１】
所定エリアにおける温度を設定する空調設備設定手段と、
前記所定エリアに設置され、この所定エリア内の温度を調整する空調設備器と、
周囲の温度を測定する温度センサを搭載し、この温度センサにより測定された温度計測データを送信する携帯装置と、
前記携帯装置により送信された温度計測データを受信し、この温度計測データが前記空調設備設定手段により設定された温度設定データと一致するように前記空調設備器を運転制御する空調設備管理手段と
を備えた空調設備制御装置。
【請求項２】
請求項１に記載の空調設備管理手段において、
前記空調設備設定手段を入力機能として前記携帯装置に搭載し、
前記携帯装置は、前記温度センサにより測定された温度計測データと前記入力機能により入力設定された温度設定データとを送信し、
前記空調設備管理手段は、前記携帯装置により送信された温度計測データと温度設定データとを受信し、この温度計測データが温度設定データと一致するように前記空調設備器を運転制御する
ことを特徴とする空調設備制御装置。
【請求項３】
請求項２に記載の空調設備制御装置において、
前記所定エリア内に複数の前記携帯装置が存在しているとき、
前記空調設備管理手段は、前記複数の携帯装置から送信された各温度設定データのうち予め設定された範囲内にある温度設定データの平均温度に前記空調設備器を運転制御することを特徴とする空調設備制御装置。
【請求項４】
請求項１乃至３のいずれか一項に記載の空調設備制御装置において、
前記温度に代えて、湿度としたことを特徴とする空調設備制御装置。
【発明の詳細な説明】
【０００１】
【発明の属する技術分野】
この発明は、空調設備制御装置に関し、特に、携帯装置を利用して所定エリア内の空調設備を制御する空調設備制御装置に関するものである。
【０００２】
【従来の技術】
図３は、従来の空調設備制御装置における一般的なシステム構成図である。
図３において、空調設備管理装置１は所定エリアの壁際などに据え付けられた固定センサ４により計測された温度データと、空調操作パネル３により設定された設定温度データとに基づいて空調設備器２の動作状態を制御する装置であり、固定センサ４，空調操作パネル３のそれぞれと通信線５で接続されている。
【０００３】
次に、上記構成における従来の空調設備制御装置の動作について説明する。
空調設備器２は、空調設備管理装置１または空調操作パネル３からのＯＮ操作によって空調運転を開始し、固定センサ４により計測された温度計測データが空調設備管理装置１または空調操作パネル３での温度設定データと一致するように空調設備管理装置１によって運転制御される。
【０００４】
【発明が解決しようとする課題】
以上のような従来の空調設備制御装置では、在室者６の周囲温度ではなく固定センサ４の周囲温度を基準に空調設備器２の運転制御を行うため、固定センサ４の設置箇所によっては在室者６が快適となるように空調設備器２を運転制御することが難しいといった問題点があった。
【０００５】
例えば、在室者６の周囲温度は快適な状況であっても、固定センサ４の設置箇所の周囲状況が変化した場合、空調設備器２の運転状態が変化するため、快適な状態を維持することができない。また、在室者６の周囲温度が不快な状況であっても、固定センサ４の設置箇所の周囲状況が快適な状態であれば、空調設備器２の運転状態は変化しないため、いつまでたっても在室者６の周囲状態は不快なままとなってしまう。
【０００６】
この発明は、以上のような問題点を解決するためになされたものであり、温度計測ポイントを携帯装置に内蔵されている温度センサとし、その計測データを携帯装置から空調設備管理装置にフィードバックさせるため、実際に居室内にいる人の近辺の温度状況に合わせた空調設備の運転状態制御ができ、従来方式に比較してより快適な状態に制御することのできる空調設備制御装置を得ることを目的とする。
【０００７】
【課題を解決するための手段】
この発明に係る空調設備制御装置は、所定エリアにおける温度を設定する空調設備設定手段と、前記所定エリアに設置され、この所定エリア内の温度を調整する空調設備器と、周囲の温度を測定する温度センサを搭載し、この温度センサにより測定された温度計測データを送信する携帯装置と、前記携帯装置により送信された温度計測データを受信し、この温度計測データが前記空調設備設定手段により設定された温度設定データと一致するように前記空調設備器を運転制御する空調設備管理手段とを備えたものである。
【０００８】
また、前記空調設備設定手段を入力機能として前記携帯装置に搭載し、前記携帯装置は、前記温度センサにより測定された温度計測データと前記入力機能により入力設定された温度設定データとを送信し、前記空調設備管理手段は、前記携帯装置により送信された温度計測データと温度設定データとを受信し、この温度計測データが温度設定データと一致するように前記空調設備器を運転制御するものである。
【０００９】
また、前記所定エリア内に複数の前記携帯装置が存在しているとき、前記空調設備管理手段は、前記複数の携帯装置から送信された各温度設定データのうち予め設定された範囲内にある温度設定データの平均温度に前記空調設備器を運転制御するものである。
【００１０】
また、前記温度に代えて、湿度としたものである。
【００１１】
【発明の実施の形態】
図１は、この発明の実施の形態に係る空調設備制御装置のシステム構成図である。図１において、図３と同一符号は同一箇所を示し、その説明は省略する。
新たな符号として、７は在室者６が所持している携帯電話であり温度センサを内蔵している。
【００１２】
携帯電話７は、基地局９、およびＰＢＸ８を経由して空調設備管理装置１に温度センサで計測した温度計測データを送信する。基地局９は居室単位に設置され、各居室内での携帯電話７の有無の検出、およびデータ送受信を行う。ＰＢＸ８は基地局９と通信線５で接続され、携帯電話７からの音声データの回線交換、および温度計測データの空調設備管理装置１への送信を行う。
【００１３】
次に、本実施の形態に係る空調設備管理装置の動作について説明する。
空調設備器２は空調設備管理装置１または空調操作パネル３からのＯＮ操作によって空調運転を開始する。この時、居室内に携帯電話７が存在しない場合は固定センサ４での計測温度が空調設備管理装置１または空調操作パネル３での設定温度になるように空調設備管理装置１によって運転制御される。
【００１４】
居室内に携帯電話７が存在する場合には、携帯電話７に内蔵されている温度センサで計測された温度計測データを基地局９、ＰＢＸ８を経由して空調設備管理装置１へ送信し、空調設備器２は携帯電話７で計測される温度計測データが空調設備管理装置１または空調操作パネル３での温度設定データと一致するように運転制御される。
【００１５】
また、居室内に携帯電話７が存在し、かつ携帯電話７で温度の設定がされている場合は、携帯電話７に内蔵されている温度センサで計測された温度計測データが当該携帯電話７で設定された温度設定データと一致するように空調設備器２を運転制御する。
【００１６】
なお、同一居室内に複数台の携帯電話７が存在し、かつ各々の携帯電話７で異なる温度設定を行っている場合には、空調設備管理装置１は予め設定された適正温度範囲内にある温度設定データの平均温度に空調設備器２を運転制御する。
また、予め設定された適正温度範囲内であれば特に上記平均温度に限るものではなく、所定の温度または温度設定データのうちの最大温度、最小温度に空調設備器２を運転制御してもよい。
【００１７】
次に、図２は本実施の形態に係る空調設備制御装置における空調設備管理装置１の動作を示したフローチャートである。
図において、ステップＳ２１では、基地局９を介して携帯電話７が所定エリアである居室内に存在するか否かを判定する。携帯電話７が居室内に存在しない場合は、ステップＳ２２へ進み、従来と同様にして固定センサ４による温度計測データが操作パネル又は空調設備管理装置１により設定された温度設定データとなるように空調設備器２を動作制御する。
【００１８】
一方、携帯電話７が居室内に存在する場合は、ステップＳ２３へ進み、携帯電話７により温度の設定がなされているか否かを判定する。携帯電話７により温度の設定がなされている場合は、ステップＳ２４へ進み、携帯電話７に搭載された温度センサによる温度計測データが携帯電話７の入力機能により入力設定された温度設定データと一致するように空調設備器２を動作制御する。
【００１９】
一方、携帯電話７により温度の設定がなされていない場合は、ステップＳ２５へ進み、携帯電話７に搭載された温度センサによる温度計測データが操作パネル又は空調設備管理装置１により設定された温度設定データと一致するように空調設備器２を動作制御する。
【００２０】
以上のように、空調設備管理装置１により携帯電話７の所定エリアへの有無、携帯電話７による温度の入力設定の有無を判定することにより、空調設備の制御方式を切り換えている。
【００２１】
したがって、本実施の形態に係る空調設備制御装置によれば、空調設備器２の調整が所定エリア内の携帯電話７の位置における温度に調整することができ、従来の所定エリア内の特定箇所に固定された固定センサ４による温度計測データを基に空調設備器２を制御する方式に比べ、携帯電話７の所持者周囲の温度をより快適に制御することができる。
【００２２】
なお、上記実施の形態においては、在室者６が携帯電話７を所持している場合について言及してきたがこれに限るものではなく、温度センサを搭載している携帯装置であればいかなるものであっても同様の効果を得ることができ、かかる携帯装置を用いた場合には、基地局９およびＰＢＸ８を介することなく、直接空調設備管理装置１に対して、例えば無線通信により温度計測データ、温度設定データのデータ通信を行うことも可能である。
【００２３】
また、本実施の形態においては、携帯電話７が温度センサを搭載している場合について言及してきたがこれに限るものではなく、携帯電話７に湿度センサを搭載させて、上記実施の形態と同様に湿度計測データを空調設備管理装置１に送信することにより、同様に携帯電話７の所持者周囲の湿度をより快適に制御することができる。
【００２４】
【発明の効果】
この発明に係る空調設備制御装置は、空調設備器の調整が所定エリア内の携帯装置の位置における温度に調整することができ、従来の所定エリア内の特定箇所に固定された固定センサによる温度データを基に空調設備器を制御する方式に比べ、携帯装置の所持者周囲の温度をより快適に制御することができる。
【００２５】
また、携帯装置は空調設備器による温度を設定する入力機能を有し、該入力設定された温度データを前記空調設備管理手段へ送信し、空調設備管理手段は入力設定された温度データに基づいて空調設備器を運転制御することにより、従来の所定エリア内の特定箇所に固定された固定センサによる温度データを基に空調設備器を制御する方式に比べ、所定エリア内の携帯装置の所持者の温度設定要求に柔軟に対応することができる。
【００２６】
また、所定エリア内に複数の前記携帯装置が存在しているとき、空調設備管理手段は複数の携帯装置から送信された各温度設定データのうち予め設定された範囲内にある温度設定データの平均温度に前記空調設備器を運転制御することにより、所定エリア内の携帯装置所持者に快適な温度の設定を提供することができる。
【００２７】
また、前記温度に代えて、湿度としたことにより、従来の所定エリア内の特定箇所に固定された固定センサによる湿度データを基に空調設備器を制御する方式に比べ、携帯装置の所持者周囲の湿度をより快適に制御することができる。
【図面の簡単な説明】
【図１】この発明の実施の形態に係る空調設備制御装置のシステム構成図である。
【図２】この発明の実施の形態に係る空調設備制御装置における空調設備管理装置１の動作フローチャートである。
【図３】従来の空調設備制御装置のシステム構成図である。
【符号の説明】
１　空調設備管理装置（空調設備管理手段）、２　空調設備器、３　空調操作パネル、４　固定センサ、５　通信線、６　在室者、７　携帯電話（携帯装置）、８　ＰＢＸ、９　基地局。
【図１】
2004020132.tif 000003
【図２】
2004020132.tif 000004
【図３】
2004020132.tif 000005